【手続補正書】
【提出日】平成27年9月23日(2015.9.23)
【手続補正１】
【補正対象書類名】特許請求の範囲
【補正対象項目名】全文
【補正方法】変更
【補正の内容】
【特許請求の範囲】
【請求項１】
車両に搭載され、記録媒体に時間的に連続してファイルの記録を行うドライブレコーダであって、
前記記録媒体に記録済の複数のファイルの一部に上書きして、新規の前記ファイルを記録する記録手段と、
イベントの発生を検出する検出手段と、
前記イベントが発生した時点のデータを含むファイルである注目ファイルと、前記注目ファイルの時間的に直前または直後のファイルとへの上書きを禁止する禁止手段と、
を備えることを特徴とするドライブレコーダ。
【請求項２】
請求項１に記載のドライブレコーダにおいて、
前記上書き禁止手段は、前記注目ファイルの記録の開始時点から所定時間以内に該イベントが発生した場合に、該注目ファイルの直前のファイルへの上書きを禁止することを特徴とするドライブレコーダ。
【請求項３】
請求項１に記載のドライブレコーダにおいて、
前記上書き禁止手段は、前記注目ファイルの記録の終了時点から遡って所定時間以内に該イベントが発生した場合に、該注目ファイルの直後のファイルへの上書きを禁止することを特徴とするドライブレコーダ。
【請求項４】
車両に搭載され、記録媒体に時間的に連続してファイルの記録を行うドライブレコーダであって、
前記記録媒体に記録済の複数のファイルの一部に上書きして、新規の前記ファイルを記録する記録手段と、
イベントの発生を検出する検出手段と、
前記イベントが発生した時点のデータを含むファイルへの上書きを禁止する上書き禁止手段と、
を備え、
前記上書き禁止手段は、
前記イベントが発生した時点のデータを含むファイルである注目ファイルへの記録の開始時点から第１時間以内に該イベントが発生した場合に、該注目ファイルの直前のファイルへの上書きを禁止し、
前記注目ファイルへの記録の終了時点から遡って第２時間以内に該イベントが発生した場合に、該注目ファイルの直後のファイルへの上書きを禁止することを特徴とするドライブレコーダ。
【請求項５】
請求項４に記載のドライブレコーダにおいて、
前記第１時間は、前記第２時間より長いことを特徴とするドライブレコーダ。
【請求項６】
車両に搭載され、記録媒体に時間的に連続してファイルの記録を行うドライブレコーダであって、
前記記録媒体に記録済の複数のファイルの一部に上書きして、新規の前記ファイルを記録する記録手段と、
イベントの発生を検出する検出手段と、
前記イベントが発生した時点のデータを含むファイルへの上書きを禁止する上書き禁止手段と、
を備え、
前記上書き禁止手段は、
前記イベントが発生した時点のデータを含むファイルである注目ファイルへの記録の開始時点から第１時間以内に該イベントが発生した場合に、該注目ファイルの直前のファイルへの上書きを禁止することを特徴とするドライブレコーダ。
【請求項７】
車両に搭載され、記録媒体に時間的に連続してファイルの記録を行うドライブレコーダであって、
前記記録媒体に記録済の複数のファイルの一部に上書きして、新規の前記ファイルを記録する記録手段と、
イベントの発生を検出する検出手段と、
前記イベントが発生した時点のデータを含むファイルへの上書きを禁止する上書き禁止手段と、
を備え、
前記上書き禁止手段は、
前記イベントが発生した時点のデータを含むファイルである注目ファイルへの記録の終了時点から遡って第２時間以内に該イベントが発生した場合に、該注目ファイルの直後のファイルへの上書きを禁止することを特徴とするドライブレコーダ。
【請求項８】
車両において記録媒体に時間的に連続してファイルの記録を行う記録方法であって、
前記記録媒体に記録済の複数のファイルの一部に上書きして、新規の前記ファイルを記録する工程と、
イベントの発生を検出する工程と、
前記イベントが発生した時点のデータを含むファイルと、該ファイルの直前又は直後のファイルとへの上書きを禁止する工程と、
を備えることを特徴とするデータ記録方法。
【請求項９】
車両に搭載され、記録媒体に時間的に連続してファイルの記録を行うドライブレコーダに含まれるコンピュータによって実行可能なプログラムであって、前記プログラムの前記コンピュータによる実行は、前記コンピュータに、
（ａ）前記記録媒体に記録済の複数のファイルの一部に上書きして、新規の前記ファイルを記録する工程と、
（ｂ）イベントの発生を検出する工程と、
（ｃ）前記イベントが発生した時点のデータを含むファイルと、該ファイルの直前又は直後のファイルとへの上書きを禁止する工程と、
を実行させることを特徴とするプログラム。
【手続補正２】
【補正対象書類名】明細書
【補正対象項目名】００１０
【補正方法】変更
【補正の内容】
【００１０】
また、請求項５の発明は、請求項４に記載のドライブレコーダにおいて、前記第１時間は、前記第２時間より長い。
また、請求項６の発明は、車両に搭載され、記録媒体に時間的に連続してファイルの記録を行うドライブレコーダであって、前記記録媒体に記録済の複数のファイルの一部に上書きして、新規の前記ファイルを記録する記録手段と、イベントの発生を検出する検出手段と、前記イベントが発生した時点のデータを含むファイルへの上書きを禁止する上書き禁止手段と、を備え、前記上書き禁止手段は、前記イベントが発生した時点のデータを含むファイルである注目ファイルへの記録の開始時点から第１時間以内に該イベントが発生した場合に、該注目ファイルの直前のファイルへの上書きを禁止することを特徴とするドライブレコーダ。
また、請求項７の発明は、車両に搭載され、記録媒体に時間的に連続してファイルの記録を行うドライブレコーダであって、前記記録媒体に記録済の複数のファイルの一部に上書きして、新規の前記ファイルを記録する記録手段と、イベントの発生を検出する検出手段と、前記イベントが発生した時点のデータを含むファイルへの上書きを禁止する上書き禁止手段と、を備え、前記上書き禁止手段は、前記イベントが発生した時点のデータを含むファイルである注目ファイルへの記録の終了時点から遡って第２時間以内に該イベントが発生した場合に、該注目ファイルの直後のファイルへの上書きを禁止することを特徴とするドライブレコーダ。
【手続補正３】
【補正対象書類名】明細書
【補正対象項目名】００１１
【補正方法】変更
【補正の内容】
【００１１】
また、請求項８の発明は、車両において記録媒体に時間的に連続してファイルの記録を行う記録方法であって、前記記録媒体に記録済の複数のファイルの一部に上書きして、新規の前記ファイルを記録する工程と、イベントの発生を検出する工程と、前記イベントが発生した時点のデータを含むファイルと、該ファイルの直前又は直後のファイルとへの上 書きを禁止する工程と、を備える。
【手続補正４】
【補正対象書類名】明細書
【補正対象項目名】００１２
【補正方法】変更
【補正の内容】
【００１２】
また、請求項９の発明は、車両に搭載され、記録媒体に時間的に連続してファイルの記録を行うドライブレコーダに含まれるコンピュータによって実行可能なプログラムであって、前記プログラムの前記コンピュータによる実行は、前記コンピュータに、（ａ）前記記録媒体に記録済の複数のファイルの一部に上書きして、新規の前記ファイルを記録する工程と、（ｂ）イベントの発生を検出する工程と、（ｃ）前記イベントが発生した時点のデータを含むファイルと、該ファイルの直前又は直後のファイルとへの上書きを禁止する工程と、を実行させる。
【手続補正５】
【補正対象書類名】明細書
【補正対象項目名】００１３
【補正方法】変更
【補正の内容】
【００１３】
請求項１ないし９の発明によれば、イベントが発生した時点のデータを含むファイルと、該ファイルの時間的に直前又は直後のファイルとへの上書きを禁止するので、イベントが発生した前又は後のデータを事後的に確認できる。